(57)【特許請求の範囲】
【請求項１】
無線通信システムにおけるユーザー機器側の電子機器であって、前記電子機器はターゲットユーザー機器とデバイス・ツー・デバイスＤ２Ｄ通信を行い、前記電子機器は処理回路を含み、
前記処理回路は、
基地局装置からの、前記電子機器がＤ２Ｄ通信を実行するためのＤ２Ｄ定格パワーを指示する第１のパワーパラメーターに関する情報を取得し、
前記第１のパワーパラメーターに基づいて前記電子機器と前記ターゲットユーザー機器との間でＤ２Ｄ通信を行うためのＤ２Ｄ伝送パワーを確定するように配置され、
前記Ｄ２Ｄ定格パワーは、前記電子機器が前記基地局装置とのセルラー通信を実行するためのセルラー定格パワーと異なり、
前記Ｄ２Ｄ伝送パワーは、前記電子機器がパスロス補償を行う必要がない
電子機器であり、
前記電子機器は、さらに、前記基地局装置と前記セルラー通信を行い、且つ、前記処理回路は、さらに、前記電子機器の最大送信パワーと前記セルラー通信の伝送パワーとに基づいて前記Ｄ２Ｄ伝送パワーを確定するように配置され、
前記セルラー通信は、前記電子機器と前記基地局装置との間の物理上りリンク制御チャネルＰＵＣＣＨ上の制御通信と、物理上りリンクデータチャネルＰＵＳＣＨ上のデータ通信との少なくとも一つを含み、且つ、前記処理回路は、さらに、前記制御通信及び/又はデータ通信の伝送パワーに応答して前記Ｄ２Ｄ伝送パワーを確定するように配置され、
前記処理回路は、さらに、前記基地局装置からの、前記電子機器に割り当てられ待ちのリソースブロックが受ける割り当てられ済みのリソースブロックからの干渉に基づいて確定したパワー調整値を指示する第２のパワーパラメーターに関する情報を取得するように配置され、且つ、前記処理回路は、さらに、前記第２のパワーパラメーターに基づいて前記Ｄ２Ｄ伝送パワーを確定するように配置されている
電子機器。
【請求項２】
前記第１のパワーパラメーターは、さらに、前記電子機器が所在する無線環境の中の干渉に関係する請求項１に記載の電子機器。
【請求項３】
前記干渉の変化が閾値を超える場合に、前記処理回路は、前記基地局装置からの更新した第１のパワーパラメーターに関する情報を取得し、更新した第１のパワーパラメーターに基づいて前記Ｄ２Ｄ伝送パワーを確定する請求項２に記載の電子機器。
【請求項４】
前記電子機器は、前記基地局装置からの無線リソース制御情報を解析することで第１のパワーパラメーターに関する情報を取得する請求項１〜３のいずれか一項に記載の電子機器。
【請求項５】
前記電子機器は、物理下りリンク制御チャネルＰＤＣＣＨにより第２のパワーパラメーターに関する情報を受信する請求項１に記載の電子機器。
【請求項６】
前記処理回路は、さらに、Ｄ２Ｄ通信の信号受信品質に基づいて、前記基地局装置へのパワーヘッドルーム報告ＰＨＲ情報の送信を制御するように配置されている請求項１〜５のいずれか一項に記載の電子機器。
【請求項７】
前記処理回路は、前記信号受信品質の変化が閾値を超えるか否かに基づいて、前記基地局装置への前記ＰＨＲ情報の送信を制御する請求項６に記載の電子機器。
【請求項８】
前記処理回路は、さらに、前記ターゲットユーザー機器からのパワーヘッドルーム報告ＰＨＲ情報を取得し、前記ＰＨＲ情報に基づいて前記ユーザー機器にＤ２Ｄ伝送パワーと、変調・符号化方式と、物理リソースとの少なくとも一つを確定するように配置されている請求項１に記載の電子機器。
【請求項９】
前記信号受信品質は、信号雑音比ＳＮＲと、信号対干渉雑音比ＳＩＮＲとの少なくとも一つにより指示する請求項６又は７に記載の電子機器。
【請求項１０】
無線通信システムにおける基地局装置側の電子機器であって、
前記基地局装置がサービングする第１のユーザー機器から第２のユーザー機器へのパスロス補償を行う必要がなく、前記第１のユーザー機器に前記第２のユーザー機器とデバイス・ツー・デバイスＤ２Ｄ通信を行うためのＤ２Ｄ伝送パワーパラメーターを確定するように配置されている処理回路を含み、
前記Ｄ２Ｄ伝送パワーパラメーターは、前記電子機器がＤ２Ｄ通信を実行するための、前記電子機器が前記基地局装置とのセルラー通信を実行するためのセルラー定格パワーと異なるＤ２Ｄ定格パワーを指示する第１のパワーパラメーターを含み、
前記電子機器は、さらに、前記基地局装置と前記セルラー通信を行い、且つ、前記処理回路は、さらに、前記電子機器の最大送信パワーと前記セルラー通信の伝送パワーとに基づいてＤ２Ｄ伝送パワーを確定するように配置され、
前記セルラー通信は、前記電子機器と前記基地局装置との間の物理上りリンク制御チャネルＰＵＣＣＨ上の制御通信と、物理上りリンクデータチャネルＰＵＳＣＨ上のデータ通信との少なくとも一つを含み、且つ、前記処理回路は、さらに、前記制御通信及び/又はデータ通信の伝送パワーに応答して前記Ｄ２Ｄ伝送パワーを確定するように配置され、
前記Ｄ２Ｄ伝送パワーパラメーターは第２のパワーパラメーターをさらに含み、前記処理回路は、さらに、前記第１のユーザー機器に割り当てられ待ちのリソースブロックが受ける割り当てられ済みのリソースブロックからの干渉に基づいて前記第２のパワーパラメーターを確定して、前記Ｄ２Ｄ定格パワーの調整のために用いられるように配置されている
電子機器。
【請求項１１】
前記処理回路は、さらに、前記第１のユーザー機器が所在する無線環境の中の干渉に基づいて前記第１のパワーパラメーターを確定する請求項１０に記載の電子機器。
【請求項１２】
前記処理回路は、さらに、前記第２のユーザー機器のＤ２Ｄ信号受信品質と、前記干渉とに基づいて前記第１のパワーパラメーターを確定するように配置されている請求項１１に記載の電子機器。
【請求項１３】
前記処理回路は、さらに、前記干渉の変化が閾値を超える際に、前記第１のパワーパラメーターを更新するように配置されている請求項１１に記載の電子機器。
【請求項１４】
前記処理回路は、前記第１のパワーパラメーターの情報を無線リソース制御情報に含ませるように配置され、
前記電子機器は、前記第１のユーザー機器へ前記無線リソース制御情報を送信するように配置されている送受信回路をさらに含む請求項１０〜１３のいずれか一項に記載の電子機器。
【請求項１５】
前記処理回路は、前記第２のパワーパラメーターの情報を下りリンク制御情報ＤＣＩに含ませるように配置され、
前記電子機器は、前記第１のユーザー機器へ物理下りリンク制御チャネルＰＤＣＣＨにより前記ＤＣＩを送信するように配置されている送受信回路をさらに含む請求項１０に記載の電子機器。
【請求項１６】
無線通信システムで無線通信を行うための方法であって、
第１のユーザー機器が基地局装置からの第１のパワーパラメーターに関する情報を取得し、前記第１のパワーパラメーターは、前記第１のユーザー機器が第２のユーザー機器とのＤ２Ｄ通信を実行するための、前記第１のユーザー機器が前記基地局装置とのセルラー通信を実行するためのセルラー定格パワーと異なるＤ２Ｄ定格パワーを指示し、
前記第１のユーザー機器が、前記第１のパワーパラメーターに基づいて前記第１のユーザー機器と前記第２のユーザー機器との間でＤ２Ｄ通信を行うためのＤ２Ｄ伝送パワーを確定し、
前記Ｄ２Ｄ伝送パワーは、前記第１のユーザー機器と前記第２のユーザー機器との間のパスロス補償が行われず、
前記第１のユーザー機器は、さらに、前記基地局装置と前記セルラー通信を行い、且つ、前記第１のユーザー機器は、前記第１のユーザー機器の最大送信パワーと前記セルラー通信の伝送パワーとに基づいて前記Ｄ２Ｄ伝送パワーを確定し、
前記セルラー通信は、前記第１のユーザー機器と前記基地局装置との間の物理上りリンク制御チャネルＰＵＣＣＨ上の制御通信と、物理上りリンクデータチャネルＰＵＳＣＨ上のデータ通信との少なくとも一つを含み、且つ、前記第１のユーザー機器は、前記制御通信及び/又はデータ通信の伝送パワーに応答して前記Ｄ２Ｄ伝送パワーを確定し、
前記第１のユーザー機器は、さらに、前記基地局装置からの、電子機器に割り当てられ待ちのリソースブロックが受ける割り当てられ済みのリソースブロックからの干渉に基づいて確定したパワー調整値を指示する第２のパワーパラメーターに関する情報を取得し、且つ、前記第１のユーザー機器は、さらに、前記第２のパワーパラメーターに基づいて前記Ｄ２Ｄ伝送パワーを確定することを含む方法。
【請求項１７】
無線通信システムで無線通信を行うための方法であって、
基地局装置が当該基地局装置がサービングする第１のユーザー機器から第２のユーザー機器へのパスロス補償を行う必要がなく、前記第１のユーザー機器に前記第２のユーザー機器とＤ２Ｄ通信を行うためのＤ２Ｄ伝送パワーパラメーターを確定し、
前記Ｄ２Ｄ伝送パワーパラメーターは、電子機器がＤ２Ｄ通信を実行するための、前記電子機器が前記基地局装置とのセルラー通信を実行するためのセルラー定格パワーと異なるＤ２Ｄ定格パワーを指示する第１のパワーパラメーターを含み、
前記電子機器は、さらに、前記基地局装置と前記セルラー通信を行い、且つ、前記基地局装置は、前記電子機器の最大送信パワーと前記セルラー通信の伝送パワーとに基づいてＤ２Ｄ伝送パワーを確定し、
前記セルラー通信は、前記電子機器と前記基地局装置との間の物理上りリンク制御チャネルＰＵＣＣＨ上の制御通信と、物理上りリンクデータチャネルＰＵＳＣＨ上のデータ通信との少なくとも一つを含み、且つ、前記基地局装置は、前記制御通信及び/又はデータ通信の伝送パワーに応答して前記Ｄ２Ｄ伝送パワーを確定し、
前記Ｄ２Ｄ伝送パワーパラメーターは第２のパワーパラメーターをさらに含み、前記基地局装置は、さらに、前記第１のユーザー機器に割り当てられ待ちのリソースブロックが受ける割り当てられ済みのリソースブロックからの干渉に基づいて前記第２のパワーパラメーターを確定して、前記Ｄ２Ｄ定格パワーの調整のために用いられることを含む方法。
【請求項１８】
処理回路が実行可能で請求項１６に記載の無線通信システムで無線通信を行うための方法を実施するコマンドが記憶されたコンピュータ記憶媒体。
【請求項１９】
処理回路が実行可能で請求項１７に記載の無線通信システムで無線通信を行うための方法を実施するコマンドが記憶されたコンピュータ記憶媒体。
【発明の詳細な説明】
【技術分野】
【０００１】
本開示は、無線通信の技術分野に関し、具体的に、無線通信システムにおけるユーザー機器側の電子機器、基地局装置側の電子機器、及び無線通信システムで無線通信を行うための方法に関する。
【背景技術】
【０００２】
この部分では、本開示に関する背景情報を提供しており、これは必ずしも従来技術ではない。
【０００３】
ユーザーデータの爆発的な増加は、データ伝送レートと伝送効率とに対する要求を向上させ、ユーザーと基地局との間の通信負荷が増加してきて、このような背景において、D2D（Device-to-Device：デバイス・ツー・デバイス）通信技術が提案された。D2D通信技術とは、セルラー通信ユーザー機器が、端末ダイレクトの方式により直接にデータのやり取りを行う情報伝送方式を指す。伝統的なセルラー通信に比べると、D2D通信技術は、スペクトルリソースを多重化させ、伝送距離が短く、情報が基地局を介さずに中継されるので、D2D通信技術はスペクトルの利用率を増加させ、ユーザー機器の送信パワー及び基地局負荷を減少させることができるとともに、通信距離が小さいので信号がよく、他の装置への通信干渉の低減に寄与する。
【０００４】
しかし、D2D通信は、伝統のユーザー-基地局の通信モードを変えて、基地局の一部の機能をユーザー機器に移したので、物理レイヤ、MAC（Media  Access  Control：媒体アクセス制御）レイヤ、上位レイヤプロトコルの設計のいずれにとっても課題となる。特に、D2D通信におけるパワー制御は、更なる基準と設計を必要とする。
【発明の概要】
【発明が解決しようとする課題】
【０００５】
この部分は、本開示の一般的概要を提供したが、その全部の範囲又はその全部の特徴の完全な開示ではない。
【０００６】
現在の標準化プロセスに応じて、D2Dの通信が上りリンクリソースで発生することに既に合意した。しかし、D2D通信のパワー制御については、以下の欠点がある。
（1）従来の標準におけるPUSCH（物理上りリンクデータチャネル）上りリンクパワー制御では、頻繁なシグナリングのやり取りを節約するために、端末と基地局との間のパスロスのみに基づいてパワー制御を行っている。しかし、D2D通信は、端末がダイレクトの方式により直接にデータのやり取りを行い、この際、端末と基地局との間のパスロスを考慮するが端末の間のパスロスを考慮せずにD2D端末の送信パワーを制御することは不正確となる。
（2）D2D通信の導入によって、セルラー通信に存在するセル内及びセル間干渉の前提で、またD2D装置とセルラーネットワーク装置との間の干渉も入ってしまい、これにより、干渉の状況はより複雑になる。この場合、パスロスのみに基づき、干渉を考慮しないパワー制御では不十分であるかもしれない。従って、一種のパワー制御方法を設計する必要があり、干渉に応じてD2D端末の送信パワーを制御するとともに、そのシグナリングのやり取りを低減させることができる。
（3）同時に各リソースブロックに割り当てられたD2D端末とセルラーネットワーク端末について、それぞれの伝送特性が異なるので、受信端に到達する異なるリソースブロックのパワーが大きく異なると、データの復号化が成功しない可能性がある。異なるリソースブロック間の干渉は帯域内放射（in-band  emission）と称し、これはD2D端末のパワー制御で考慮すべきである。
（4）PHR（Power  Headroom  Report：パワーヘッドルーム報告）は、基地局を補助してMCS（Modulation  and  Coding  Scheme：変調・符号化方式）及びリソースブロックサイズ決定を行って使用する場合に、端末から基地局へそのパワー使用状況を定期的に報告する。D2Dの導入によって、D2DのMCS及びそのリソース割当を最適化するために、PHRも改善を必要とする過程である。セルラーネットワークにおいて、タイマーの満了と下りリンクパスロスの変化がある閾値を超えたこととを連携してPHRをトリガーする。しかし、このトリガー条件はD2D通信に適合しない。まず、D2Dにブロードキャストが存在するので、シングルリンクのトリガー条件は簡単にブロードキャストシーンに拡張することができず、さもないと不必要なトリガーを引き起こす可能性があり、次に、D2Dユニキャストについて、D2D通信が上りリンクに発生するので、この際に基地局とD2D端末の下りリンクパスロスを採用してリンク変化状況を評価してPHRをトリガーすることは明らかに不合理である。従って、従来のセルラーネットワーク端末PHR報告過程と区別するために、D2D端末のPHR過程も設計と基準を行う必要がある。
【課題を解決するための手段】
【０００７】
本開示は、無線通信システムにおけるユーザー機器側の電子機器、基地局装置側の電子機器及び無線通信システムで無線通信を行うための方法を提供することを目的とし、D2D通信におけるパワー制御の方法を設計することにより、以上で言及された技術的問題の少なくとも一つを解決する。
【０００８】
本開示の一局面によれば、無線通信システムにおけるユーザー機器側の電子機器を提供し、電子機器はターゲットユーザー機器とデバイス・ツー・デバイスD2D通信を行い、電子機器は、前記電子機器とターゲットユーザー機器との間のパスロスを取得し、前記パスロスに関する情報を基地局装置に報告するように配置されているパスロス報告ユニットと、前記基地局装置からの、前記パスロスに関係する第1のパワーパラメーターに関する情報を取得するように配置され、且つ、前記第1のパワーパラメーターに基づいて前記電子機器と前記ターゲットユーザー機器との間でD2D通信を行うためのD2D伝送パワーを確定するように配置されているパワー確定ユニットとを含む。
【０００９】
本開示の他の一局面によれば、無線通信システムにおける基地局装置側の電子機器を提供し、前記基地局装置がサービングする第1のユーザー機器から第2のユーザー機器へのパスロスを取得するように配置されているパスロス取得ユニットと、前記パスロスに基づいて前記第1のユーザー機器に前記第2のユーザー機器とデバイス・ツー・デバイスD2D通信を行うためのD2D伝送パワーパラメーターを確定するように配置されているパワーパラメーター確定ユニットとを含む。
【００１０】
本開示の他の一局面によれば、無線通信システムにおけるユーザー機器側の電子機器は、ターゲットユーザー機器とのデバイス・ツー・デバイスD2D通信品質を検出するように配置されている通信品質検出ユニットと、前記D2D通信品質に基づいてマスターユーザー機器へのパワーヘッドルーム報告をトリガーするか否かを確定するように配置されているパワーヘッドルーム報告ユニットとを含み、その中、前記電子機器のD2D通信は前記マスターユーザー機器によりスケジューリングされる。
【００１１】
本開示の他の一局面によれば、無線通信システムで無線通信を行うための方法を提供し、第1のユーザー機器が基地局装置からの第1のパワーパラメーターに関する情報を取得し、前記第1のパワーパラメーターは、前記第1のユーザー機器が第2のユーザー機器とのD2D通信を実行するための、前記第1のユーザー機器が前記基地局装置とのセルラー通信を実行するためのセルラー定格パワーと異なるD2D定格パワーを指示し、前記第1のユーザー機器が、前記第1のパワーパラメーターに基づいて前記第1のユーザー機器と前記第2のユーザー機器との間でD2D通信を行うためのD2D伝送パワーを確定し、前記D2D伝送パワーは、前記第1のユーザー機器と第2のユーザー機器との間のパスロスに関係しない。
【００１２】
本開示の他の一局面によれば、無線通信システムで無線通信を行うための方法を提供し、基地局装置が当該基地局装置がサービングする第1のユーザー機器から第2のユーザー機器へのパスロスに関係なく、前記第1のユーザー機器に前記第2のユーザー機器とデバイス・ツー・デバイスD2D通信を行うためのD2D伝送パワーパラメーターを確定し、前記D2D伝送パワーパラメーターは、前記電子機器がD2D通信を実行するための、前記電子機器が前記基地局装置とのセルラー通信を実行するためのセルラー定格パワーと異なるD2D定格パワーを指示する第1のパワーパラメーターを含む。
【００１３】
本開示の他の一局面によれば、無線通信システムで無線通信を行うための方法を提供し、第1のユーザー機器が第2のユーザー機器とのデバイス・ツー・デバイスD2D通信品質を検出し、前記第1のユーザー機器が前記D2D通信品質に基づいてマスターユーザー機器へのパワーヘッドルーム報告をトリガーするか否かを確定することを含み、前記第1のユーザー機器のD2D通信が前記マスターユーザー機器によりスケジューリングされる。
【００１４】
本開示の他の一局面によれば、無線通信システムにおけるユーザー機器側の電子機器であって、前記電子機器はターゲットユーザー機器とデバイス・ツー・デバイスD2D通信を行い、前記電子機器は処理回路を含み、前記処理回路は、前記基地局装置からの、前記電子機器がD2D通信を実行するためのD2D定格パワーを指示する第1のパワーパラメーターに関する情報を取得し、前記第1のパワーパラメーターに基づいて前記電子機器と前記ターゲットユーザー機器との間でD2D通信を行うためのD2D伝送パワーを確定するように配置され、前記D2D定格パワーは、前記電子機器が前記基地局装置とのセルラー通信を実行するためのセルラー定格パワーと異なり、前記D2D伝送パワーは、前記電子機器とターゲットユーザー機器との間のパスロスに関係しない。
【００１５】
本開示の他の一局面によれば、無線通信システムにおける基地局装置側の電子機器であって、前記基地局装置がサービングする第1のユーザー機器から第２のユーザー機器へのパスロスに関係なく、前記第1のユーザー機器に前記第2のユーザー機器とデバイス・ツー・デバイスD2D通信を行うためのD2D伝送パワーパラメーターを確定するように配置されている処理回路を含み、前記D2D伝送パワーパラメーターは、前記電子機器がD2D通信を実行するための、前記電子機器が前記基地局装置とのセルラー通信を実行するためのセルラー定格パワーと異なるD2D定格パワーを指示する第1のパワーパラメーターを含む。
【００１６】
本開示の他の一局面によれば、無線通信システムにおけるユーザー機器側の電子機器であって、ターゲットユーザー機器とのデバイス・ツー・デバイスD2D通信品質を検出し、前記D2D通信品質に基づいてマスターユーザー機器へのパワーヘッドルーム報告をトリガーするか否かを確定するように配置されている処理回路を含み、前記電子機器のD2D通信は、前記マスターユーザー機器によりスケジューリングされる。
【００１７】
本開示の他の一局面によれば、本開示によるプログラム製品を携帯する機器読み取り可能な記憶媒体を提供し、当該プログラム製品はその中に記憶された機器読み取り可能な指令コードを含み、コンピュータで指令コードを読み取って実行する場合、前記コンピュータに本開示による無線通信システムで無線通信を行うための方法を実行させることができる。
【００１８】
本開示の無線通信システムにおけるユーザー機器側の電子機器、端末側の電子機器及び無線通信システムで無線通信を行うための方法を使用すると、D2D端末と端末との間のパスロスに応じてD2D端末の送信パワーを算出することができ、伝統の基地局装置と端末装置との間のパスロスに応じてパワー制御を行う方法に比べると、本発明の送信パワーの算出はより精確になる。一方、本発明のD2D端末の送信パワーの算出は、さらに干渉と帯域内放射の影響を考慮して、パワー制御を粗調整と微調整との二つの方式に分け、粗調整は頻繁なパワー制御を避け、シグナリングオーバーヘッドを節約することができ、微調整は、パワー制御がより精確になるようにすることができる。最後、本発明は、異なるリソース割当モードにおいてD2Dパワー制御シグナリングのやり取り及びPHRの報告プロセスをさらに標準化させ、当該PHR上報告プロセスは、D2D通信システムにより適用する。要するに、本発明は、D2D通信のパワー制御をより精確に行い、D2D通信データ伝送の依頼性を向上させそれとセルラーネットワークとの共存を強化させることができる。
【００１９】
ここで提供する記述から、更なる適用性領域は明らかであろう。この概要における記述と特定の例は、例示のみを目的としており、本開示の範囲を限定するように意図されるものではない。
【図面の簡単な説明】
【００２０】
ここで記述する図面は、選択する実施例の例示を目的としており全ての可能な実施ではなく、本開示の範囲を限定するように意図されるものではない。図面において：
【図１】本開示の実施例によるD2D伝送パワーのシーンを確定するための模式図である。
【図２】本開示の実施例によるユーザー機器側の電子機器の構成を図示するブロック図である。
【図３】本開示の実施例によるD2D端末がPHRを報告するためのシーンを図示する模式図である。
【図４】本開示の実施例による基地局装置側の電子機器の構成を図示するブロック図である。
【図５】本開示の他の一実施例によるユーザー機器側の電子機器の構成を図示するブロック図である。
【図６】本開示の実施例による無線通信システムで無線通信を行う方法を図示するフローチャートである。
【図７】本開示の実施例による無線通信システムで無線通信を行うための方法を実現できる汎用のコンピュータの例示的構成のブロック図である。
【発明を実施するための形態】
【００２１】
本開示は、様々な修正および代替形態が可能であるが、その特定の実施例は、図面で例として示されており、ここで詳細に記述されている。しかしながら、特定の実施例についての記述は、本開示を開示された具体的形態に限定することを意図せず、逆に、本開示は、本開示の精神および範囲内に入る全ての修正、均等物および代替を網羅することを目的とすることが理解されたい。なお、幾つかの図面において、相応する符号は相応する部品を指示する。
【００２２】
現在、図面を参照して、本開示の例をより十分に記述する。以下の記述は、実際には例示に過ぎず、本開示、応用又は用途を限定するように意図されるものではない。
【００２３】
本開示がより詳細で、その範囲を当業者に十分に伝えるように、例示的実施例が提供される。本開示の実施例の詳細な理解を提供するために、特定の部品、装置、および方法などの多くの特定の内容が記載される。特定の内容を必ず使用する必要はなく、例示的実施例は多くの異なる形態で実現されてもよいこと、および本開示の範囲を限定するように解釈されるべきではないことも、当業者にとって明らかとなる。いくつかの例示的実施例において、公知の過程、公知の装置構成および公知の技術は、詳細に記述されていない。
【００２４】
本開示は、無線通信ネットワークにおけるD2D（Device-to-Device：デバイス・ツー・デバイス）通信に関する。本開示に係るユーザー機器は、移動端末、コンピュータ、車載機器などの無線通信機能を有する端末を含むがこれに限定されない。また、本開示に係る基地局装置は、例えばeNodeB又は、eNodeBにおける部品例えばチップである。
【００２５】
図1は本開示の実施例によるD2D伝送パワーを確定するためのシーンの模式図である。
【００２６】
図1に示すように、DUE1とDUE2とはデバイス・ツー・デバイスD2D通信を行う二つのユーザー機器であり、eNBはDUE1のサービング基地局であり、当該D2D通信のシーンにおいて、通信リソースはeNBがDUE1のフィードバックする通信状態に基づいて割り当てる。図1に示すシーンは例示に過ぎず、本開示はこれに限定されない。例えば、eNBのサービング範囲内に複数のDUEが存在してもよく、DUEクラスタのクラスタヘッドでeNBを代替してもよい。
【００２７】
本開示の一実施例によれば、eNBは、DUE1とDUE2との間のD2Dリンクのパスロスに応じてD2D通信の送信パワーを制御し、例えばD2D通信のD2D定格パワー(Nominal  Power)を設置し、DUEは定格パワーと他の調整パラメーター/オフセット量とに応じてD2D送信パワーを制御する。本発明の一例において、D2D端末間の参照信号により二つのD2D端末のパスロスの大きさを測定する。例えば、参照信号の送信パワーは、通信の両方にとって既知であり、DUE1とDUE2とがD2D通信を行う必要がある場合に、DUE1はDUE2へ参照信号を送信し、DUE2は参照信号の受信パワー(RSRP)を測定し、例えばパスロス=参照信号の送信パワー-参照信号の受信パワーに基づいてDUE1とDUE2との間のパスロスを測定して得る。一つのオプジョンの例において、DUE2は、測定結果に応じてDUE1からDUE2へのD2Dリンク品質測定報告を生成し、そしてDUE1はDUE2の測定結果に基づいてDUE1からDUE2へのパスロスを確定し、当該パスロスに関する情報を基地局装置eNBに送信する。他の一つのオプジョンの例において、DUE2は、直接に測定して得られたパスロスと参照信号を送信するDUE1の唯一の標識（例えばD2D-RNTI）とともにPUCCHによりeNBに送信する。eNBは、少なくとも当該パスロスの情報に基づいてパワー制御情報を確定し、当該パワー制御情報をDUE1に送信し、その後、DUE1は少なくとも当該パワー制御情報に基づいてDUE1とDUE2との間でD2D伝送する伝送パワーを確定する。
【００２８】
ここで実施例の他の一つの例において、全てのD2D端末は、D2D通信の開始階段でデフォルトで予め設置されたD2D通信最大送信パワーを採用し、DUE1は、DUE2の送信するデータ信号を測定することでパスロスを得る。当該測定報告の送信及びトリガー条件は以上で述べたとおりであってもよい。
【００２９】
上記実施例において、DUEによるパスロス情報を含む測定報告は、伝統のセルラー通信ネットワーク測定報告プロセスと異なってもよい。一般に、セルラーネットワークの測定結果は、レイヤ3にフィルタリングされるメカニズムによりこの結果がシャドウフェージングの影響を受けないように確保する必要があるが、D2D通信端末の通信距離が非常に近いので、当該フェージングの影響を受けないと近似して考えられる。従って、本発明の一例において、DUEによるD2Dリンクの測定結果については、レイヤ3フィルタリングを行わず、例えばRRCレイヤによりフィルタリングとイテレーションを行わず、DUEは、一つ相対的短期の測定結果(例えばレイヤ1のみフィルタリングを行った測定結果)を制御端例えばeNBへ報告する。D2Dリンク測定結果の報告トリガー条件について、一例において、測定毎に逐次報告し、好ましくは、報告基準、例えば測定結果の変化閾値を設置することができ、前回の測定結果との変化がこの閾値を超えた場合のみ、今回の測定報告を送信する。
【００３０】
また、他の一例において、基地局は、得られたD2D端末の地理位置情報及び信号伝播モデルに応じて、二つの端末間のパスロスを直接に推定することができ、端末が報告することを要しない。
【００３１】
本発明において、D2D端末の伝送パワーは、D2D端末がネットワーク制御端例えば上記のeNBが提供するパワー制御パラメーターに基づいて演算して確定したものである。eNBが提供するパワー制御パラメーターは、D2D定格パワーと、帯域内放射(in-band  emission)に基づく調整パラメーターと、変調・符号化方式(MCS)に基づく調整パラメーターと、PDCCHに基づくパワー調整パラメーターとの少なくとも一つを含む。相応するように、D2D端末は、D2D定格パワーを基に、パスロス補償係数、帯域内放射(in-band  emission)に基づく調整パラメーターと、変調・符号化方式(MCS)に基づく調整パラメーターと、PDCCHに基づくパワー調整パラメーターとの少なくとも一つを結びつけて相手D2D端末へ信号を送信するためのパワーを確定する。
【００３２】
本発明の一実施例によれば、eNBは、上記方式で得られたD2Dリンクパスロスに基づいてD2D定格パワーを確定する。例えば、eNBは、DUE例えば図1中のD2D受信端DUE2の信号対雑音比SINR要求と、DUE1からDUE2へのパスロス及びその補償係数に応じて、D2D送信端例えばDUE1のためのD2D定格パワーを確定する。具体的に、PO_PUSCH,DがD2D定格パワーを示し（本発明においてDUEの間にPUSCHチャネルにより通信すると認められる）、ThがDUE2のSINR閾値を示し、σ２が通信システムにおける熱雑音を示し、PLとαがD2Dパスロスとその補償係数をそれぞれ示し、具体的なD2D定格パワーの確定方式は下式のようである。
【数１】
0006624202.tif 000002
【００３３】
当業者は、3GPP  LTE標準における一般的パスロス補償係数についての定義に応じて経験値を結び付けてD2Dパスロスの補償係数の具体的数値を確定し、本発明はこれに限定されない。
【００３４】
本実施例において、eNBは、具体的制御対象例えばDUE1に係るD2Dリンクのパスロスや、具体的受信端DUE2の信号品質要求に応じて、D2D定格パワーを精確且つ意図的に設置する。また、D2Dのパスロス補償については、eNBが定格パワーを設置するに際して考慮され、従来技術のようにeNBがユーザー機器へパスロス補償係数を通知してユーザー機器がパスロス補償を行う必要がない。
【００３５】
一例において、伝統のセルラー通信の定格パワーブロードキャスト通知方式と異なり、eNBは専用のシグナリング、例えばRRCシグナリングのみによりDUEへD2D定格パワーを送信することで他のユーザー機器への影響を避ける。
【００３６】
一つの好ましい例によれば、eNBは、さらに、ネットワークの干渉状況に基づいてD2D定格パワーを確定し、ネットワーク状況に準じてD2D送信パワーを合理的に高めることにより、ネットワークの中の干渉がD2D通信への悪影響を低減させる。例えば、具体的D2Dユーザー機器の干渉状況又はネットワークの中の平均干渉状況に基づいてD2D定格パワーを設置する。具体的に、例えば以下の式に基づいてD2D定格パワーを確定する。
【数２】
0006624202.tif 000003
【００３７】
なお、E[I]は、ネットワークにおける平均干渉を示す。注意すべきところは、従来のセルラー通信技術において、eNBによる定格パワーの設置は干渉を考慮していないが、D2D通信を含む又は含まないネットワークのいずれにも干渉が存在している。従って、本発明に開示された内容によれば、ネットワークの中の干渉に基づいてセルラーユーザー機器の定格パワーを設置することによりそれを改善することが可能である。例えば、eNBは、ネットワーク干渉に基づいてセル全体のカバー範囲（Cell  specific）のための定格パワーPO_NOMINAL_PUSCH,C（例えば、PO_NOMINAL_PUSCH,C＝Th・(σ２＋E[I])、Thは一般的UEのSINR閾値である）を設置し、それをシステムメッセージSIB2（UplinkPowerControlCommon：p0-NominalPUSCH）により全てのUEにブロードキャストする。具体的に他の従来技術と一致する内容についてここで記述せず、当業者は、例えば3GPP  LTE  TS36系標準を参照してもよい。前記のように、本発明において、eNBは、専用のシグナリング例えばRRCシグナリングによりD2Dユーザー機器にD2D定格パワーを設置し、このような設置は幾つかの例において半静的であり、D2D定格パワーがD2Dユーザー機器間のパスロス又は干渉状況の変化によって変化する場合に、例えばパスロス/干渉変化程度がプリセットの条件を満たすとき、eNBはRRCシグナリングを新たに送信してD2D定格パワーを更新する。
【００３８】
D2Dユーザー機器は上記の専用のシグナリングによりそのD2D定格パワーを知り、当該D2D定格パワーに基づいてさらにその自身の送信パワー（例えばサブフレームiのための送信パワーPPUSCH,D(i)）を確定する。
【００３９】
注意すべきところは、本発明において、D2Dユーザー機器の最大送信パワー、例えばPCMAX,D(i)が設置されたので、D2D定格パワーなどのパラメーターに基づいて確定したPPUSCH,D(i)がPCMAX,D(i)よりも大きいべきではなく、さもなければ、PPUSCH,D(i)としてPCMAX,D(i)を採用すべきである。また、幾つかの例において、D2Dユーザー機器はD2D通信を行うとともに基地局とセルラーデータ通信又はセルラー制御通信も保持し、例えばDUEはeNBへPUSCH及び/又はPUCCHを送信することで最大送信パワーの一部を占有したので、このような場合、D2D定格パワーなどのパラメーターに基づいて確定したPPUSCH,D(i)がPCMAX,D(i)からセルラーPUSCHとセルラーPUCCHとが占有したパワー割合よりも大きいべきではない。以下では、主に最大送信パワー制限を満たす場合にD2D送信パワーの確定を検討する。
【００４０】
一つの例において、DUEは、それに割り当てられたD2Dデータ通信の帯域幅（リソースブロック数）と、D2D定格パワーと、PDCCHに含まれるTPC(伝送パワー制御)が指示する調整とに基づいてD2D送信パワーを確定する。例えば、
【数３】
0006624202.tif 000004
【００４１】
なお、MPUSCH,D(i)はD2Dデータ通信に割り当てられたリソースブロック数を示し、PO_PUSCH,DはD2D定格パワーを示し、f(i)はクローズドループパワー制御で基地局から受信したTPCによる送信パワーの更なる調整を示す。ここで、f(i)は、本分野の従来の標準、例えば3GPP  TS36.213を参照して定義してもよい。
【００４２】
他の一例において、DUEは、さらに、MCSの補償に基づいてD2D送信パワーPPUSCH,D(i)を確定する。例えば、
【数４】
0006624202.tif 000005
【００４３】
なお、ΔTF(i)は異なるMCSに対する補償を示し、具体的に、本分野の従来の標準、例えば3GPP  TS36.213を参照して定義してもよい。
【００４４】
本発明の他の一例において、基地局はDUEへ帯域内放射（In-band  emission）に関するパワー制御パラメーター、例えば、Δin_band_emissionを提供し、DUEは、帯域内放射に基づいてD2D送信パワーPPUSCH,D(i)を確定する。
【００４５】
帯域内放射は、既に割り当てられたRB（リソースブロック）がまだ割り当てられていないRBへの干渉状況を示す。本発明の通信システムにおいて、基地局がそれぞれのD2Dユーザー機器に各サブフレームのためのリソースブロックを割り当て、同一の時間で、使用されていないRBを異なるD2D端末に割り当てようとすると、この際基地局は既に割り当てられたRB及び割り当てられていないRBを知っているので、基地局装置は、これらの割り当てられていないRB上の帯域内放射の値を算出することができる。ここで、本分野の公知の技術に基づいて帯域内放射の値を算出してもよく、本文はこれを限定しない。次に、基地局装置は、算出された帯域内放射の値に基づいてΔin_band_emissionの値を設置し、同一の時間で割り当てられ待ちの全てのRB上の干渉値が相当するようにし、例えば、同一の時間で割り当てられ待ちの全てのRB上の干渉値が同一の数量レベルであるか又は等しくなり、これにより、帯域内放射がそれぞれのRB上での相違が大きく異なることで、例えばある信号が他の信号に埋もれることを避ける。
【００４６】
基地局は例えばRRCシグナリングにより半静的に帯域内放射関連パワー制御パラメーターをD2Dユーザー機器に提供する。又は、好ましくは、基地局は例えばPDCCHに含まれる上りリンク許可情報要素UL-grantにより帯域内放射関連パワー制御パラメーターをD2Dユーザー機器に提供して毎回のD2D伝送の送信パワーの動的微調整を実現する。具体的に、例えばUL-grantにおいて新しいフィールドを増加して帯域内放射関連パワー制御パラメーターを示す。UL-grantで帯域内放射関連パワー制御パラメーターを伝送する実施形態において、D2Dユーザー機器がPUCCHを同時に送信する場合について、基地局は、DUEに割り当てられたD2D通信のためのPUCCHに近づくRBに対して、Δin_band_emissionを設置する際に他のRBとの干渉レベルが相当することを満たす以外に、それを予め設定した閾値よりも低くさせ、PUCCHへの干渉を低減させることもできる。
【００４７】
D2Dユーザー機器側において、D2Dユーザー機器は、受信した、帯域内放射関連パワー制御パラメーターを含むRRCシグナリング又はPDCCHシグナリングに応じて、D2D送信パワーを確定する。例えば下式に基づいて確定する。
【数５】
0006624202.tif 000006
【００４８】
なお、本発明の幾つかの例において、PO_PUSCH,Dは上記の例のような方式（D2Dパスロスを考慮）を採用して確定したD2D定格パワーであり、本発明の他の幾つかの例において、PO_PUSCH,Dは従来技術の方式に応じて確定した定格パワーであってもよく、相応するように、D2Dユーザー機器は、さらに、従来の定格パワーに基づいてD2Dパスロス補償を行ってもよい。
【００４９】
図2は、本開示の実施例によるユーザー機器側の電子機器200の構成を図示するブロック図である。
【００５０】
この実施例において、電子機器200はD2D通信を行うユーザー機器（例えば図1におけるDUE1）側の電子機器であってもよい。図2に示すように、電子機器200は、送信ユニット210と、受信ユニット220と、パスロス報告ユニット230と、パワー確定ユニット240とを含むことができる。電子機器200は、移動端末（例えばスマートフォン、タブレットパソコン（PC）、ノートPC、携帯型ゲーム端末、携帯型/ウオッチドッグ型移動ルータとデジタル撮像装置）又は車載端末（例えばカーナビゲーション装置）として実現されてもよい。電子機器200は、マシンツウマシン(M2M)通信を実行する端末(マシン種類通信(MTC)端末とも称する)として実現されてもよい。また、電子機器200は、上記端末における各端末に取り付けられた無線通信モジュール（例えば一つのチップを含む集成回路モジュール）であってもよい。
【００５１】
本開示の実施例によれば、電子機器200は、ターゲットユーザー機器（例えば図1中のDUE2）とD2D通信を行うことができる。特に、パスロス報告ユニット230は電子機器200とターゲットユーザー機器との間のパスロスを取得し、パスロスに関する情報を基地局装置（例えば図1中のeNB）に報告することができる。ここで、パスロスの算出は本分野の公知の各種のパスロスアルゴリズムに基づいて算出されてもよく、本文はこれを特に限定しない。
【００５２】
また、パワー確定ユニット240は、基地局装置からの、パスロスに関係する第1のパワーパラメーターに関する情報を取得することができる。そして、パワー確定ユニット240は、第1のパワーパラメーターに基づいて電子機器200とターゲットユーザー機器との間でD2D通信を行うためのD2D伝送パワーを確定することができる。
【００５３】
送信ユニット210は、ターゲットユーザー機器（例えば図1に示すDUE2）へデータ及び/又は制御情報を送信してD2D通信を行うことができる。本開示の実施例において、送信ユニット210は、ターゲットユーザー機器へ参照信号を送信することができる。
【００５４】
受信ユニット220は、ターゲットユーザー機器（例えば図1に示すDUE2）からデータ及び/又は制御情報を受信してD2D通信を行うことができる。本開示の実施例において、受信ユニット220は、ターゲットユーザー機器から受信した参照信号への応答である応答信号を受信することができる。このようにすれば、パスロス報告ユニット230は、参照信号と応答信号とに基づいて電子機器200とターゲットユーザー機器との間のパスロスを取得することができる。
【００５５】
本開示の実施例において、パスロス報告ユニット230は、送信ユニット210を介してパスロスに関する情報を基地局装置に送信することができる。また、受信ユニット220は、基地局装置から第1のパワーパラメーターに関する情報を受信し、それをパワー確定ユニット240に提供することができる。
【００５６】
送信ユニット210は、さらに、基地局装置（例えば図1に示すeNB）へデータ及び/又は制御情報を送信して、セルラー通信プロトコルに応じてセルラー通信を行ってもよい。ここのセルラー通信プロトコルは、例えばLTE-A（Long  Term  Evolution  advanced）、LTE-U等であってもよく、本開示はこれを特に限定しない。
【００５７】
受信ユニット220は、さらに、基地局装置（例えば図1に示すeNB）からデータ及び/又は制御情報を受信して、セルラー通信プロトコルに応じてセルラー通信を行ってもよい。ここのセルラー通信プロトコルは、例えばLTE-A（Long  Term  Evolution  advanced）、LTE-U等であってもよく、本開示はこれを特に限定しない。
【００５８】
本開示の実施例によれば、第1のパワーパラメーターは、電子機器200がD2D通信を行うための定格パワーを指示してもよく、且つパワー確定ユニット240は、定格パワーに基づいてパワー調整を行ってD2D伝送パワーを確定してもよく。好ましくは、パワー確定ユニット240がD2D伝送パワーを確定するために実行するパワー調整は、パスロスに基づく調整を含まない。
【００５９】
他の一実施例において、第1のパワーパラメーターは、さらに、電子機器200が存在する無線環境の中の干渉に関係してもよい。例えば、基地局装置は、さらに、電子機器200とユーザー機器とが所属する無線通信ネットワークの平均干渉に基づいて第1のパワーパラメーターPO_PUSCH,Dを確定する。具体的に、基地局装置は、以下の式に基づいて第1のパワーパラメーターPO_PUSCH,Dを確定する。
【数６】
0006624202.tif 000007
【００６０】
なお、σ２は熱雑音を示す。PLは基地局装置が受信したパスロスを示し、αはパスロスの補償係数を示し、ThはD2D通信の受信端（例えば図1中のDUE2）のSINR閾値を示し、E[I]は電子機器200とユーザー機器とが所属する無線通信ネットワークの平均干渉を示す。
【００６１】
本開示の実施例において、電子機器200とユーザー機器とが所属する無線通信ネットワークに対してモデリングを行い当該ネットワークの中のユーザー端末の距離の分布を得る。ここで、従来技術の公知のモデリング方法に基づいて当該無線通信ネットワークに対してモデリングを行ってもよい。本開示の実施例において、仮にD2Dネットワークでユーザー端末の密度がλであるとすると、密度がλである均一なm次元ポアソン点過程について、当該ネットワークの中いずれかのユーザー端末からそれの第nの隣接ユーザー端末までの距離Rnの累積分布関数cdf分布
【数７】
0006624202.tif 000008
は、
【数８】
0006624202.tif 000009
となる。
【００６２】
なお、Γ(...)はガンマ関数を示し、Γic(...,...)は不完全ガンマ関数を示し、cmrmは半径がrであるm次元球体の体積を示す。
【００６３】
電子機器とユーザー機器とが所属する無線通信ネットワークの平均干渉E[I]は、
【数９】
0006624202.tif 000010
である。
【００６４】
なお、αはパスロスの補償係数であり、Σは、和を求める式を示し、E[Rn-α]はRn-αに対して期待値を求めることを示す。
【００６５】
本開示の実施形態において、パワー確定ユニット240は第1のパワーパラメーターPO_PUSCH,Dに基づいて電子機器200とユーザー機器との間でD2D通信を行うためのD2D伝送パワーを確定する。具体的に、パワー確定ユニット240は、以下の式に基づいてD2D伝送パワーPPUSCH,Dを確定する。
【数１０】
0006624202.tif 000011
【００６６】
なお、iはサブフレーム番号を示し、PCMAX,D(i)はD2D端末の最大送信パワーを示し、例えば31dBmであり、MPUSCH,D(i)はD2Dデータ通信に割り当てられたリソースブロック数を示し、PO_PUSCH,Dは第1のパワーパラメーターを示し、ΔTF(i)は異なるMCS（変調と符号化方式）に対する補償を示し、f(i)はクローズドループパワー制御でTPC(伝送パワー制御)による送信パワーの更なる調整を示す。ここで、MPUSCH,D(i)、ΔTF(i)、f(i)は、本分野の従来の標準、例えば3GPP  TS36.213により定義してもよい。
【００６７】
本開示の実施形態において、パスロスと干渉との少なくとも一つの変化が閾値を超えた場合に、パワー確定ユニット240は、基地局装置からの更新した第1のパワーパラメーターに関する情報を取得し、更新した第1のパワーパラメーターに基づいてD2D伝送パワーを確定することができる。具体的に、パスロスPL又は平均干渉E[I]の変化が閾値を超えた際に、基地局装置は第1のパワーパラメーターPO_PUSCH,Dを更新し、受信ユニット220は基地局装置から更新した第1のパワーパラメーターPO_PUSCH,Dに関する情報を受信し、且つパワー確定ユニット240は更新した第1のパワーパラメーターPO_PUSCH,Dに基づいてD2D伝送パワーを新たに確定する。本開示の実施形態で算出された第1のパワーパラメーターPO_PUSCH,Dによれば、ネットワークのユーザー端末の数が明らかに変化する、即ち、λ変化によってE[I]が変化するか、又は二つのD2D端末間のパスロスPLが明らかに変化する場合のみ、基地局装置が電子機器200へ更新後の第1のパワーパラメーターPO_PUSCH,Dを送信することをトリガーできるので、電子機器200に対して頻繁にパワー制御を行うことを避け、シグナリングオーバーヘッドを節約し、これは、D2D端末パワー制御に対する粗調整と見なすことができる。
【００６８】
本開示の実施形態において、電子機器200は、基地局装置からの専用のシグナリングを解析することで第1のパワーパラメーターに関する情報を取得することができる。例えば、電子機器200における受信ユニット220は、無線リソース制御RRCシグナリングにより第1のパワーパラメーターに関する情報を受信する。
【００６９】
他の一実施例において、パワー確定ユニット240は、さらに、基地局装置からの、電子機器200に割り当て待ちのリソースブロックの帯域内放射に基づいて確定したパワー調整値を指示する第2のパワーパラメーターに関する情報を取得してもよい。そして、パワー確定ユニット240は、さらに、第2のパワーパラメーターに基づいてD2D伝送パワーを確定してもよい。
【００７０】
具体的に、受信ユニット220は、さらに、基地局装置から第2のパワーパラメーターに関する情報を受信してもよい。その中、基地局装置は、少なくとも電子機器200に割り当てられ待ちのリソースブロックの帯域内放射に基づいて第2のパワーパラメーターΔin_band_emissionを確定する。
【００７１】
D2Dの通信過程において、In-band  emission(帯域内放射)は、既に割り当てられたRB（リソースブロック）がまだ割り当てられていないRBへの干渉状況を示す。同一の時間で、使用されていないRBを異なるD2D端末に割り当て、この際基地局装置は、既に割り当てられたRB及びまだ割り当てられていないRBを知っているので、基地局装置は、これらのまだ割り当てられていないRB上のIn-band  emissionの値を算出してもよい。ここで、本分野の公知の技術に基づいてIn-band  emissionの値を算出してもよく、本文はこれを限定しない。次に、基地局装置は算出されたIn-band  emissionの値に基づいてΔin_band_emissionの値を設置し、同一の時間で割り当てられ待ちの全てのRB上の干渉値が相当するようにし、例えば、同一の時間で割り当てられ待ちの全てのRB上の干渉値が同一の数量レベルであるか又は等しくなる。
【００７２】
本開示の実施例において、パワー確定ユニット240は、さらに、第2のパワーパラメーターΔin_band_emissionに基づいて電子機器200とユーザー機器との間でD2D通信を行うためのD2D伝送パワーを確定する。具体的に、パワー確定ユニット240は以下の式に基づいてD2D伝送パワーPPUSCH,Dを確定する。
【数１１】
0006624202.tif 000012
【００７３】
なお、iはサブフレーム番号を示し、PCMAX,D(i)はD2D端末の最大送信パワーを示し、例えば31dBmであり、MPUSCH,D(i)はD2Dデータ通信に割り当てられたリソースブロック数を示し、PO_PUSCH,Dは第1のパワーパラメーターを示し、ΔTF(i)は異なるMCS（変調と符号化方式）に対する補償を示し、f(i)はクローズドループパワー制御でTPC(伝送パワー制御)による送信パワーの更なる調整を示し、Δin_band_emissionは第2のパワーパラメーターを示す。ここで、MPUSCH,D(i)、ΔTF(i)、f(i)は、本分野の従来の標準、例えば3GPP  TS36.213により定義してもよい。
【００７４】
本開示の実施例において、基地局装置は、電子機器200に被割り当てられ待ちのリソースブロックの帯域内放射に基づいて第2のパワーパラメーターを確定し、電子機器200に対してパワー制御を行って、電子機器200のパワー制御をより精確にし、D2D端末パワー制御に対する微調整であると見なすことができる。
【００７５】
本開示の実施例において、電子機器200は、無線リソース制御RRCシグナリング又は物理下りリンク制御チャネルPDCCHにより第2のパワーパラメーターに関する情報を受信することができる。例えば、電子機器200における受信ユニット220は無線リソース制御RRCシグナリング又は物理下りリンク制御チャネルPDCCH、例えばPDCCHにおけるUL-grantにより第2のパワーパラメーターに関する情報を受信する。
【００７６】
他の一実施例において、電子機器200はターゲットユーザー機器とD2D通信を行うとともに、電子機器200は、さらに、基地局装置とセルラー通信を行ってもよい。この際、パワー確定ユニット240は、さらに、電子機器200の最大送信パワーとセルラー通信の伝送パワーとに基づいてD2D伝送パワーを確定してもよい。
【００７７】
特に、電子機器200は、ユーザー機器とD2D通信を行うとともに、さらに、基地局装置（例えば図1中のeNB）とセルラー通信を行い、パワー確定ユニット240は、さらに、電子機器200の最大送信パワーとセルラー通信の伝送パワーとに基づいてD2D伝送パワーを確定する。具体的に、パワー確定ユニット240は以下の式（6）と（7）の一つに基づいてD2D伝送パワーを確定する。
【数１２】
0006624202.tif 000013
【００７８】
なお、iはサブフレーム番号を示し、PCMAX,D(i)はD2D端末の最大送信パワーを示し、例えば31dBmであり、PPUSCH,C(i)はセルラー通信のPUSCH（物理上りリンク共有チャネル）の伝送パワーを示し、MPUSCH,D(i)はD2Dデータ通信に割り当てられたリソースブロック数を示し、PO_PUSCH,Dは第1のパワーパラメーターを示し、ΔTF(i)は異なるMCS（変調と符号化方式）に対する補償を示し、f(i)はクローズドループパワー制御でTPC(伝送パワー制御)による送信パワーの更なる調整を示す。ここで、MPUSCH,D(i)、ΔTF(i)、f(i)は、本分野の従来の標準、例えば3GPP  TS36.213により定義してもよい。
【００７９】
他の一実施例において、セルラー通信は、電子機器200と基地局装置との間の物理上りリンク制御チャネルPUCCH上の制御通信と、物理上りリンクデータチャネルPUSCH上のデータ通信との少なくとも一つを含んでもよい。そして、パワー確定ユニット240は、さらに、行われている制御通信及び/又はデータ通信の伝送パワーに応答してD2D伝送パワーを確定してもよい。
【００８０】
特に、電子機器200は、ユーザー機器とD2D通信を行うとともに、さらに、PUCCH（物理上りリンク制御チャネル）伝送を行い、パワー確定ユニット260は、さらに、PUCCH上の伝送パワーに基づいてD2D伝送パワーを確定する。具体的に、パワー確定ユニット260は、以下の（8）と（9）の一つに基づいてD2D伝送パワーを確定する。
【数１３】
0006624202.tif 000014
【００８１】
なお、iはサブフレーム番号を示し、PCMAX,D(i)はD2D端末の最大送信パワーを示し、例えば31dBmであり、PPUSCH,C(i)はセルラー通信のPUSCH（物理上りリンク共有チャネル）の伝送パワーを示し、PPUCCH(i)はPUCCH上の伝送パワーを示し、MPUSCH,D(i)はD2Dデータ通信に割り当てられたリソースブロック数を示し、PO_PUSCH,Dは第1のパワーパラメーターを示し、ΔTF(i)は異なるMCS（変調と符号化方式）に対する補償を示し、f(i)はクローズドループパワー制御でTPC(伝送パワー制御)による送信パワーの更なる調整を示す。ここで、MPUSCH,D(i)、ΔTF(i)、f(i)は、本分野の従来の標準、例えば3GPP  TS36.213により定義してもよい。
【００８２】
式（9）がD2D伝送パワーを確定することについて、PUCCHの送信位置に近づくD2D端末に割り当てられたリソースブロックに対して、第2のパワーパラメーターΔin_band_emissionの設定は、同一の時間で割り当てられ待ちのRB上の干渉値が相当するような条件を満たす以外に、ある予め設定した閾値よりも低くなるべきである。
【００８３】
図3は、本開示の実施例によるD2D端末がPHRを報告するためのシーンを図示する模式図である。図3に示すように、DUE3とDUE4とはデバイス・ツー・デバイスD2D通信を行う二つのユーザー機器であり、eNBはDUE3のサービング基地局であり、当該D2Dユニキャスト通信のシーンにおいて、通信リソースはeNBにより割り当てられる。図3に示すシーンは例に過ぎず、本開示はこれに限定されない。例えば、DUEクラスタのクラスタヘッドでeNBを代替してもよい。
【００８４】
本開示の実施例において、DUE3は、図2に示す電子機器200を含むことができ、その中、送信ユニット210は、ユーザー機器（例えば図3中のDUE4）へD2D信号を送信することができる。例えば、電子機器200は、前記したいずれかの実施例に記載の方法によりユーザー機器との伝送パワーを確定し、当該確定したD2D伝送パワーに基づいてユーザー機器へD2D信号を確定してもよい。
【００８５】
本開示の実施例において、電子機器200は、パワーヘッドルーム報告ユニット（不図示）をさらに含むこともできる。パワーヘッドルーム報告ユニットは、ターゲットユーザー機器がフィードバックする、D2D通信に関する信号受信品質パラメーターに基づいて、基地局装置へのパワーヘッドルーム報告PHR情報の送信を制御することができる。
【００８６】
特に、電子機器200の受信ユニット220は、さらに、ユーザー機器から当該D2Dチャネルの受信品質を示す受信品質パラメーターを受信してもよい。当該受信品質パラメーターは、本分野における任意の受信信号品質を示すパラメーターであってもよく、信号雑音比SNRや、信号対干渉雑音比SINRなどを含むがこれに限定されない。そして、電子機器200の送信ユニット210は、さらに、当該受信品質パラメーターに基づいて基地局装置（例えば図3中のeNB）へパワーヘッドルームPHR情報を送信してもよい。
【００８７】
本開示の実施例において、パワーヘッドルーム報告ユニットは、信号受信品質パラメーターの変化が閾値を超えるか否かに基づいて、基地局装置へのPHR情報の送信を制御することができる。例えば、受信品質パラメーターの変化が閾値を超えた際に、送信ユニット210は基地局装置へPHR情報を送信する。そして、基地局装置は、少なくとも当該PHR情報に基づいて電子機器200に対してリソース割当、例えばパワー制御などを行う。
【００８８】
本開示の実施例において、PHRの報告は、D2Dブロードキャストのシーンまで拡張することができる。例えば、ブロードキャストのカバー範囲エジに位置するD2D端末は受信したSNR（又はSINR）の変化がある閾値を超えたことを検出した場合に、当該D2Dブロードキャストのカバー範囲が大きく変化したと認め、この際PHR送信をトリガーすべきである。本開示の実施例において、カバー範囲エジの端末を、PHRをトリガーするか否かを判断する基準とする。他の実施例において、さらに、当該ブロードキャストの重要度に応じて、受信条件がよい端末を基準とするか、又は異なる端末の優先度に応じて、基地局によりある高い優先度の端末を指定して基準とするなどする。
【００８９】
本開示の実施例において、電子機器200は、PHRタイマーをさらに含んでもよく、送信ユニット210は、当該PHRタイマーに基づいて基地局装置へPHR情報を送信する。例えば、第1のPHRタイマーperiodicDPHR-Timerの期限が切れた際に、基地局装置へのPHR情報の送信をトリガーし、第2のPHRタイマーprohibitDPHR-Timerの期限が切れ且つ受信品質パラメーターの変化が閾値を超えた際に、基地局装置へのPHR情報の送信をトリガーする。
【００９０】
D2D端末がPHRを報告するための他の一つのシーンにおいて、デバイス・ツー・デバイスD2D通信を行う二つのユーザー機器DUE3とDUE4のみ存在し、基地局装置eNBが存在せず、当該D2Dユニキャスト通信のシーンにおいて、通信リソースはDUE3により割り当てられる。
【００９１】
本開示の実施例において、DUE3は、図2に示す電子機器200を含むことができ、その中、送信ユニット210は、ユーザー機器（例えば図3中のDUE4）へD2D信号を送信することができる。例えば、電子機器200は前記したいずれか一つの実施例に記載の方法によりユーザー機器との伝送パワーを確定し、当該確定したD2D伝送パワーに基づいてユーザー機器へD2D信号を送信してもよい。
【００９２】
本開示の実施例において、電子機器200は、リソース割当ユニット（不図示）さらに含むこともできる。リソース割当ユニットは、ターゲットユーザー機器からのパワーヘッドルーム報告PHR情報を取得し、PHR情報に基づいてユーザー機器にD2D伝送パワーと、変調・符号化方式と物理リソースとの少なくとも一つを確定することができる。
【００９３】
特に、電子機器200の受信ユニット220は、さらに、ユーザー機器からパワーヘッドルームPHR情報を受信してもよい。例えば、ユーザー機器の受信品質パラメーターの変化が閾値を超えた際に、電子機器200へPHR情報を送信する。当該受信品質パラメーターは本分野における任意の受信信号品質を示すパラメーターであってもよく、信号雑音比SNRや、信号対干渉雑音比SINRなどを含むがこれに限定されない。次に、電子機器200は、少なくとも当該PHR情報に基づいてユーザー機器に対してリソース割当、例えばパワー制御等を行う。
【００９４】
本開示の実施例において、ユーザー機器はPHRタイマーをさらに含むこともでき、ユーザー機器は、さらに、当該PHRタイマーに基づいて電子機器200へPHR情報を送信する。例えば、第1のPHRタイマーperiodicDPHR-Timerの期限が切れた際に、電子機器200へのPHR情報の送信をトリガーし、第2のPHRタイマーprohibitDPHR-Timerの期限が切れ且つ受信品質パラメーターの変化が閾値を超えた際に、電子機器200へのPHR情報の送信をトリガーする。
【００９５】
他の一実施例において、PHR情報のフォーマットをさらに定義し、PUCCH伝送がないType  1  PHRに対して、セルラーネットワークPHRと区別する必要があるので、一つの保留ビットを占有して当該PHRのタイプを示す必要がある。例えば1はセルラーネットワーク通信のPHRを示し、0はD2D通信のPHRを示す。また別途に一つのD2D  PHRのためのMACレイヤ制御命令を定義してもよい。本開示の実施例において、さらに、NのビットのIDを増加して、当該PHRがいずれのD2D通信に対して接続するPHRであるかを標識してもよい。PDCCH伝送があるPHRに対して、一つの新しいPHRタイプ、例えばType  3  PHRを定義する必要があり、その定義するフォーマットは以下とおりである。
【表１】
0006624202.tif 000015
【００９６】
なお、PH(Type  3)はPDCCH伝送ありのPHRを示し，PH(Type  1)はPDCCH伝送なしのPHRを示し、いずれもPHRのタイプを示すことができ、例えば1はセルラーネットワーク通信のPHRを示し、0はD2D通信のPHRを示す。PCMAX,D(i)はD2D端末の最大送信パワーを示し、例えば31dBmであり、PPUSCH,C(i)はセルラー通信のPUSCH（物理上りリンク共有チャネル）の伝送パワーを示す。
【００９７】
本開示の実施例において、さらに、PHRの数値を算出する。PUCCH伝送なしのType  1  PHRについては、以下の式によりPHRの数値を算出する。
【数１４】
0006624202.tif 000016
【００９８】
なお、PCMAX,D(i)はD2D端末の最大送信パワーを示し、例えば31dBmであり、PPUSCH,C(i)はセルラー通信のPUSCH（物理上りリンク共有チャネル）の伝送パワーを示し、MPUSCH,D(i)はD2Dデータ通信に割り当てられるリソースブロック数を示し、PO_PUSCH,Dは基地局装置から受信した第1のパワーパラメーターを示し、ΔTF(i)は異なるMCS（変調と符号化方式）に対する補償を示し、f(i)はクローズドループパワー制御でTPC(伝送パワー制御)により送信パワーに対する更なる調整を示し、Δin_band_emissionは第2のパワーパラメーターを示す。ここで、MPUSCH,D(i)、ΔTF(i)、f(i)は、本分野の従来の標準、例えば3GPP  TS36.213により定義してもよい。
【００９９】
PUCCH伝送ありのType  3  PHRについては、以下の式によりPHRの数値を算出する。
【数１５】
0006624202.tif 000017
【０１００】
なお、PCMAX,D(i)はD2D端末の最大送信パワーを示し例えば31dBmであり、PPUSCH,C(i)はセルラー通信のPUSCH（物理上りリンク共有チャネル）の伝送パワーを示し、MPUSCH,D(i)はD2Dデータ通信に割り当てられるリソースブロック数を示し、PO_PUSCH,Dは基地局装置から受信した第1のパワーパラメーターを示し、ΔTF(i)は異なるMCS（変調と符号化方式）に対する補償を示し、f(i)はクローズドループパワー制御でTPC(伝送パワー制御)による送信パワーの更なる調整を示し、Δin_band_emissionは基地局装置から受信した第2のパワーパラメーターを示し、PO_PUCCHは一つのパラメーターであり、上位層にて配置されるパラメーターPO_NOMINAL_PUCCHと上位層にて配置されるパラメーターPO_UE_PUCCHとの和を含み、PLcはUEで算出する下りリンクパスロスの推定値であり、単位がdBであり、h(nCQI，nHARQ，nSR)はPUCCHのフォーマット関連値であり、nCQI、nSR、nHARQの関数であり、nCQIがチャネル品質情報CSIの情報のビット数に対応し、サブフレームiがいずれかの相関する上りリンク共有チャネル上の伝送ブロックを有しないUEにSRを配置すると、nSR＝1、さもなければ、nSR＝0であり、UEが一つよりも多いサービングセルとして配置されるか、又はUEが一つのサービングセルとして配置され且つPUCCHフォーマット3を使用する場合以外、nHARQがサブフレームiにおいて送信するHARQ-ACKビット数を示し、ΔF_PUCCH(F)は上位層にて定義され提供され、それぞれのΔF_PUCCH(F)の値が一つのPUCCHフォーマット1aに対するPUCCHフォーマット（F）に対応し、上位層がユーザー機器を配置して二つのアンテナポートでPUCCHを伝送すると、ΔTxD(F')の値が上位層から提供し、F'がPUCCHのフォーマットを示し、他の場合に、ΔTxD(F')＝0となり、g(i)は現在のPUCCHパワー制御の調整状態である。ここで、MPUSCH,D(i)、ΔTF(i)、f(i)、PO_PUCCH、PLc、h(nCQI，nHARQ，nSR)、ΔF_PUCCH(F)、ΔTxD(F')、g(i)はいずれも本分野の既存の標準3GPP  TS36.213に定義するものと一致する。
【０１０１】
図4は、本開示の実施例による基地局装置側の電子機器400の構成を図示するブロック図である。
【０１０２】
この実施例において、電子機器400は、D2D通信を行うユーザー機器（例えば図1中のDUE1）のサービング基地局（例えば図1中のeNB）側の電子機器であってもよい。図4に示すように、電子機器400は、パスロス取得ユニット410と、パワーパラメーター確定ユニット420とを含むことができる。
【０１０３】
パスロス取得するユニット410は、基地局装置がサービングする第1のユーザー機器から第2のユーザー機器へのパスロスを取得することができる。
【０１０４】
さらに、パワーパラメーター確定ユニット420は、パスロスに基づいて第1のユーザー機器に、第2のユーザー機器とD2D通信を行うためのD2D伝送パワーパラメーターを確定することができる。
【０１０５】
本開示の実施例によれば、電子機器400は、ユーザー機器（例えば図1に示すDUE1とDUE2）からデータ及び/又は制御情報を受信して、セルラー通信プロトコルに応じてセルラー通信を行うことができる。ここのセルラー通信プロトコルは例えばLTE-A（Long  Term  Evolution  advanced）、LTE-Uなどであってもよく、本開示はこれを特に限定しない。本開示の実施例において、パスロス取得ユニット410は、第1のユーザー機器から、第1のユーザー機器と第2のユーザー機器との間のパスロスに関する情報を受信することができる。その中、第1のユーザー機器は第2のユーザー機器とデバイス・ツー・デバイスD2D通信を行う。
【０１０６】
本開示の実施例によれば、D2D伝送パワーパラメーターは、第1のユーザー機器がD2D通信を行うための定格パワーを指示する第1のパワーパラメーターを含むことができる。ここで、D2D伝送パワーパラメーターは、基地局装置がサービングする各ユーザー機器に共通するパワーパラメーターを含まなくてもよい。
【０１０７】
具体的に、パワーパラメーター確定ユニット420は、第1のユーザー機器を制御するための第1のパワーパラメーターを確定することができる。本開示の実施例において、パワーパラメーター確定ユニット420は、パスロスに基づいて第1のパワーパラメーターを確定することができる。パワーパラメーター確定ユニット420は、電子機器400の受信ユニット（不図示）からパスロスを取得することができる。
【０１０８】
電子機器400は、ユーザー機器（例えば図1に示すDUE1とDUE2）へデータ及び/又は制御情報を送信して、セルラー通信プロトコルに応じてセルラー通信を行うことができる。ここのセルラー通信プロトコルは例えばLTE-A（Long  Term  Evolution  advanced）、LTE-Uなどであり、本開示は、これを特に限定しない。本開示の実施例において、電子機器400は、第1のユーザー機器へ第1のパワーパラメーターに関する情報を送信することができる。次に、第1のユーザー機器は、当該第1のパワーパラメーターに基づいて第1のユーザー機器と第2のユーザー機器との間でD2D通信を行うためのD2D伝送パワーを確定することができる。
【０１０９】
他の一実施例において、パワーパラメーター確定ユニット420は、さらに、第1のユーザー機器が存在する無線環境の中の干渉に基づいて第1のパワーパラメーターを確定してもよい。特に、パワーパラメーター確定ユニット420は、さらに、第2のユーザー機器のD2D信号受信品質要求と干渉とに基づいて第1のパワーパラメーターを確定してもよい。例えば、パワーパラメーター確定ユニット420は、さらに、第1のユーザー機器と第2のユーザー機器とが所属する無線通信ネットワークの平均干渉に基づいて第1のパワーパラメーターを確定する。具体的に、パワーパラメーター確定ユニット420は、以下の式に基づいて第1のパワーパラメーターPo_PUSCH,Dを確定する。
【数１６】
0006624202.tif 000018
【０１１０】
なお、σ２は熱雑音を示す。PLは電子機器400が受信したパスロスを示し、αはパスロスの補償係数を示し、ThはD2D通信の受信端（例えば図1中のDUE2）のSINR閾値を示し、E[I]は第1のユーザー機器と第2のユーザー機器とが所属する無線通信ネットワークの平均干渉を示す。
【０１１１】
本開示の実施例において、第1のユーザー機器と第2のユーザー機器とが所属する無線通信ネットワークに対してモデリングを行い当該ネットワークにおけるユーザー端末の距離の分布を得る。ここで、従来技術の公知のモデリング方法により当該無線通信ネットワークに対してモデリングを行う。本開示の実施例において、仮にD2Dネットワークにおけるユーザー端末の密度がλであるとすると、密度がλである均一なm次元ポアソン点過程について、当該ネットワークの中のいずれかのユーザー端末からそれの第nの隣接ユーザー端末までの距離Rnの累積分布関数cdf分布
【数１７】
0006624202.tif 000019
は：
【数１８】
0006624202.tif 000020
となる。
【０１１２】
なお、Γ(.)はガンマ関数を示し、Γic(.,.)は不完全ガンマ関数を示し、cmrmは半径がrであるm次元球体の体積を示す。
【０１１３】
第1のユーザー機器と第2のユーザー機器とが所属する無線通信ネットワークの平均干渉E[I]は、
【数１９】
0006624202.tif 000021
である。
【０１１４】
なお、αはパスロスの補償係数であり、Σは、和を求める式を示し、E[Rn-α]はRn-αに対して期待値を求めることを示す。
【０１１５】
本開示の実施形態で、パスロスと干渉との少なくとも一つの変化が閾値を超えた場合に、パワーパラメーター確定ユニット420は、さらに第1のパワーパラメーターを更新してもよい。具体的に、パスロスPL又は平均干渉E[I]の変化が閾値を超えた際に、パワーパラメーター確定ユニット420は第1のパワーパラメーターPO_PUSCH,Dを更新し、電子機器400は第1のユーザー機器へ更新した第1のパワーパラメーターPO_PUSCH,Dに関する情報を送信し、第1のユーザー機器が更新した第1のパワーパラメーターPO_PUSCH,Dに基づいてD2D伝送パワーを確定するようにする。本開示の実施形態で算出された第1のパワーパラメーターPO_PUSCH,Dによれば、ネットワークのユーザー端末の数が明らかに変化する、即ち、λ変化によってE[I]が変化するか、又は二つのD2D端末間のパスロスPLが明らかに変化する場合のみ、電子機器400が第1のユーザー機器へ更新後の第1のパワーパラメーターPO_PUSCH,Dを送信することをトリガーできるので、第1のユーザー機器に対して頻繁にパワー制御を行うことを避け、シグナリングオーバーヘッドを節約し、これは、D2D端末パワー制御に対する粗調整と見なすことができる。
【０１１６】
本開示の実施形態において、パワーパラメーター確定ユニット420は、さらに、第1のパワーパラメーターの情報を無線リソース制御RRCシグナリングに含ませてもよい。電子機器400は、さらに送信ユニット（不図示）を含んでもよく、当該送信ユニットは、第1のユーザー機器へRRCシグナリングを送信してもよい。電子機器400における送信ユニットは、下りリンクシグナリングにより第1のパワーパラメーターを送信してもよい。例えば、電子機器400における送信ユニットは、無線リソース制御RRCシグナリングにより第1のパワーパラメーターに関する情報を送信してもよい。
【０１１７】
他の一実施例において、D2D伝送パワーパラメーターは、さらに、第2のパワーパラメーターを含み、且つパワーパラメーター確定ユニット420は、さらに、第1のユーザー機器に割り当てられ待ちのリソースブロックの帯域内放射に基づいて第2のパワーパラメーターを確定して、定格パワーの調整のために用いられる。
【０１１８】
D2Dの通信過程において、In-band  emission(帯域内放射)は、既に割り当てられたRB（リソースブロック）がまだ割り当てられていないRBへの干渉状況を示す。同一の時間で、使用されていないRBを異なるD2D端末に割り当て、この際基地局装置は、既に割り当てられたRB及びまだ割り当てられていないRBを知っているので、基地局装置は、これらのまだ割り当てられていないRB上のIn-band  emissionの値を算出してもよい。ここで、本分野の公知の技術に基づいてIn-band  emissionの値を算出してもよく、本文はこれを限定しない。次に、電子機器400は算出されたIn-band  emissionの値に基づいてΔin_band_emissionの値を設置し、同一の時間で割り当てられ待ちの全てのRB上の干渉値が相当するようにし、例えば、同一の時間で割り当てられ待ちの全てのRB上の干渉値が同一の数量レベルであるか又は等しくなる。
【０１１９】
本開示の実施例において、電子機器400は、第1のユーザー機器に割り当てられ待ちのリソースブロックの帯域内放射に基づいて第2のパワーパラメーターを確定し、第1のユーザー機器に対してパワー制御を行って、第1のユーザー機器をより精確にし、D2D端末パワー制御に対する微調整であると見なすことができる。
【０１２０】
本開示の実施例において、パワーパラメーター確定ユニット420は、さらに、第2のパワーパラメーターの情報を無線リソース制御RRCシグナリング又は下りリンク制御情報DCIに含ませてもよい。具体的に、電子機器400における送信ユニットは、下りリンクシグナリングにより第2のパワーパラメーターを送信してもよい。例えば、電子機器400における送信ユニットは、無線リソース制御RRCシグナリング又は物理下りリンク制御チャネルPDCCH、例えばPDCCHにおけるUL-grantによりDCI（即ち、第2のパワーパラメーターに関する情報）を送信する。
【０１２１】
他の一実施例において、第1のユーザー機器は第2のユーザー機器とD2D通信を行うとともに、さらに電子機器400とセルラー通信を行い、第1のユーザー機器は、第1のユーザー機器の最大送信パワーとセルラー通信の伝送パワーとに基づいてD2D伝送パワーを確定する。
【０１２２】
前記のように、第1のユーザー機器（例えば図3中のDUE3）は基地局装置側の電子機器（例えば図3中のeNB）へPHR情報を送信することができる。この際、eNBは図4に示す電子機器400を含むことができる。第1のユーザー機器は、前記したいずれか一つの実施例に記載の方法により第2のユーザー機器（例えば図3中のDUE4）との伝送パワーを確定し、当該確定したD2D伝送パワーに基づいて第2のユーザー機器へD2D信号を送信する。
【０１２３】
本開示の実施例において、第1のユーザー機器は、さらに、第2のユーザー機器から当該D2Dチャネルの受信品質を示す受信品質パラメーターを受信するように配置されている。当該受信品質パラメーターは、本分野における任意の受信信号品質を示すパラメーターであってもよく、信号雑音比SNRや、信号対干渉雑音比SINRなどを含むがこれに限定されない。そして、電子機器400の受信ユニットは、さらに、第1のユーザー機器からパワーヘッドルームPHR情報を受信するように配置されている。当該PHR情報は、第1のユーザー機器が少なくとも受信品質パラメーターに基づいて確定したものである。例えば、受信品質パラメーターの変化が閾値を超えた際に、第1のユーザー機器は電子機器400へPHR情報を送信する。次に、電子機器400は、少なくとも当該PHR情報に基づいて第1のユーザー機器に対してリソース割当、例えばパワー制御などを行う。
【０１２４】
図5は、本開示の他の一実施例によるユーザー機器側の電子機器500の構成を図示するブロック図である。
【０１２５】
この実施例において、電子機器500はD2D通信を行うユーザー機器（例えば図1中のDUE25）側の電子機器であってもよい。図5に示すように、電子機器500は、通信品質検出ユニット510とパワーヘッドルーム報告ユニット520とを含むことができる。また、電子機器500は、パスロス測定ユニット530とパスロス報告ユニット540とを含むこともできる。同様に、電子機器500は移動端末（例えばスマートフォン、タブレットパソコン（PC）、ノートPC、携帯型ゲーム端末、携帯型/ウオッチドッグ型移動ルータとデジタル撮像装置）又は車載端末（例えばカーナビゲーション装置）として実現されてもよい。電子機器500は、マシンツウマシン(M2M)通信を実行する端末(マシン種類通信(MTC)端末とも称する)として実現されてもよい。また、電子機器500は、上記端末における各端末に取り付けられた無線通信モジュール（例えば一つのチップを含む集成回路モジュール）であってもよい。
【０１２６】
本開示の実施例によれば、通信品質検出ユニット510は、ターゲットユーザー機器とのD2D通信品質を検出することができる。さらに、パワーヘッドルーム報告ユニット520は、D2D通信品質に基づいてマスターユーザー機器へのパワーヘッドルーム報告をトリガーするか否かを確定することができる。ここで、電子機器500のD2D通信はマスターユーザー機器によりスケジューリングされる。
【０１２７】
本開示の実施例によれば、マスターユーザー機器は、ターゲットユーザー機器又は他のユーザー機器であってもよい。
【０１２８】
本開示の実施例によれば、通信品質検出ユニット510は、ターゲットユーザー機器から電子機器500へのD2D通信信号の信号雑音比と、信号対干渉雑音比との少なくとも一つを検出してD2D通信品質を得ることができる。さらに、パワーヘッドルーム報告ユニット520は、D2D通信品質の変化が予定の閾値を超えるか否かに基づいて、マスターユーザー機器へのパワーヘッドルーム報告をトリガーするか否かを確定する。
【０１２９】
本開示の実施例によれば、パスロス測定ユニット530は、ターゲットユーザー機器から電子機器500へのパスロスを測定することができる。さらに、パスロス報告ユニット540は、パスロスの関連情報とターゲットユーザー機器の識別子をD2Dパスロス報告に含ませて基地局装置へ報告する。
【０１３０】
図6は、本開示の実施例による無線通信システムで無線通信を行うための方法を図示するフローチャートである。
【０１３１】
ステップS610において、第1のユーザー機器は、第1のユーザー機器と第2のユーザー機器との間のパスロスを取得する。ここで、第1のユーザー機器は第2のユーザー機器とD2D通信を行う。
【０１３２】
次に、ステップS620中において、第1のユーザー機器は、パスロスに関する情報を基地局装置に報告する。
【０１３３】
次に、ステップS630において、第1のユーザー機器は基地局装置からの第1のパワーパラメーターに関する情報を取得する。ここで、第1のパワーパラメーターはパスロスに関係する。
【０１３４】
最後に、ステップS640において、第1のユーザー機器は、第1のパワーパラメーターに基づいて第1のユーザー機器と第2のユーザー機器との間でD2D通信を行うためのD2D伝送パワーを確定する。
【０１３５】
好ましくは、当該方法は、さらに、以下のステップを含み、第1のユーザー機器が第2のユーザー機器へ参照信号を送信するステップと、第1のユーザー機器が第2のユーザー機器から参照信号への応答である応答信号を受信するステップとを含み、その中、第1のユーザー機器が参照信号と応答信号とに基づいて第1のユーザー機器と第2のユーザー機器との間のパスロスを取得する。
【０１３６】
好ましくは、第1のパワーパラメーターは、第1のユーザー機器がD2D通信を行うための定格パワーを指示し、且つ第1のユーザー機器は、定格パワーに基づいてパワー調整を行ってD2D伝送パワーを確定してもよい。
【０１３７】
好ましくは、第1のユーザー機器がD2D伝送パワーを確定するために実行するパワー調整は、パスロスに基づく調整を含まなくてもよい。
【０１３８】
好ましくは、第1のパワーパラメーターは第1のユーザー機器が存在する無線環境の中の干渉に関係してもよい。
【０１３９】
好ましくは、パスロスと干渉との少なくとも一つの変化が閾値を超える場合に、第1のユーザー機器は、基地局装置からの更新した第1のパワーパラメーターに関する情報を取得し、更新した第1のパワーパラメーターに基づいてD2D伝送パワーを確定してもよい。
【０１４０】
好ましくは、第1のユーザー機器は、基地局装置からの専用のシグナリングを解析することで第1のパワーパラメーターに関する情報を取得してもよい。
【０１４１】
好ましくは、第1のユーザー機器は、さらに、基地局装置からの、第1のユーザー機器に割り当てられ待ちのリソースブロックの帯域内放射に基づいて確定したパワー調整値を指示する第2のパワーパラメーターに関する情報を取得し、且つ、第1のユーザー機器は、さらに、第2のパワーパラメーターに基づいてD2D伝送パワーを確定してもよい。
【０１４２】
好ましくは、第1のユーザー機器はRRCシグナリング又はPDCCHにより第2のパワーパラメーターに関する情報を受信してもよい。
【０１４３】
好ましくは、第1のユーザー機器は第2のユーザー機器とD2D通信を行うとともに、第1のユーザー機器は基地局装置とセルラー通信を行い、第1のユーザー機器はさらに第1のユーザー機器の最大送信パワーとセルラー通信の伝送パワーとに基づいてD2D伝送パワーを確定してもよい。
【０１４４】
好ましくは、セルラー通信は、第1のユーザー機器と基地局装置との間のPUCCH上の制御通信と、PUSCH上のデータ通信との少なくとも一つを含み、且つ第1のユーザー機器は、さらに、行われている制御通信及び/又はデータ通信の伝送パワーに応答してD2D伝送パワーを確定してもよい。
【０１４５】
好ましくは、第1のユーザー機器は、さらに、第2のユーザー機器がフィードバックする、D2D通信に関する信号受信品質パラメーターに基づいて、基地局装置へのPHR情報の送信を制御してもよい。
【０１４６】
好ましくは、第1のユーザー機器は、信号受信品質パラメーターの変化が閾値を超えるか否かに基づいて、基地局装置へのPHR情報の送信を制御してもよい。
【０１４７】
好ましくは、第1のユーザー機器は第2のユーザー機器からのPHR情報を取得し、PHR情報に基づいて第2のユーザー機器にD2D伝送パワーと、変調・符号化方式と、物理リソースとの少なくとも一つを確定してもよい。
【０１４８】
好ましくは、信号受信品質パラメーターは、SNRとSINRとの少なくとも一つを含んでもよい。
【０１４９】
次に、もう一つの無線通信システムで無線通信を行うための方法を記述する。当該方法は、基地局装置が基地局装置のサービングする第1のユーザー機器から第2のユーザー機器へのパスロスを取得し、基地局装置がパスロスに基づいて第1のユーザー機器に第2のユーザー機器とD2D通信を行うためのD2D伝送パワーパラメーターを確定することを含む。
【０１５０】
好ましくは、D2D伝送パワーパラメーターは、第1のユーザー機器がD2D通信を行うための定格パワーを指示する第1のパワーパラメーターを含んでもよい。
【０１５１】
好ましくは、D2D伝送パワーパラメーターは、基地局装置がサービングする各ユーザー機器に共通するパワーパラメーターを含まなくてもよい。
【０１５２】
好ましくは、基地局装置は、さらに、第1のユーザー機器が存在する無線環境の中の干渉に基づいて第1のパワーパラメーターを確定してもよい。
【０１５３】
好ましくは、基地局装置は、さらに、前記ユーザー機器のD2D信号受信品質要求と、干渉とに基づいて第1のパワーパラメーターを確定してもよい。
【０１５４】
好ましくは、パスロスと干渉との少なくとも一つの変化が閾値を超える際に、基地局装置はさらに第1のパワーパラメーターを更新してもよい。
【０１５５】
好ましくは、基地局装置は、さらに、第1のパワーパラメーターの情報をRRCシグナリングに含ませて、基地局装置は、さらに第1のユーザー機器へRRCシグナリングを送信してもよい。
【０１５６】
好ましくは、D2D伝送パワーパラメーターは第2のパワーパラメーターをさらに含み、基地局装置は、さらに、第1のユーザー機器に割り当てられ待ちのリソースブロックの帯域内放射に基づいて第2のパワーパラメーターを確定して、定格パワーの調整のために用いられてもよい。
【０１５７】
好ましくは、基地局装置は、第2のパワーパラメーターの情報をRRCシグナリング又はDCIに含ませて、第1のユーザー機器へRRCシグナリングを送信するか、又はPDCCHによりDCIを送信してもよい。
【０１５８】
次に、もう一つの無線通信システムで無線通信を行うための方法を記述し、当該方法は、第1のユーザー機器が第2のユーザー機器とのD2D通信品質を検出し、第1のユーザー機器がD2D通信品質に基づいてマスターユーザー機器へのパワーヘッドルーム報告をトリガーするか否かを確定することを含み、その中、第1のユーザー機器のD2D通信はマスターユーザー機器によりスケジューリングされる。
【０１５９】
好ましくは、マスターユーザー機器は、ターゲットユーザー機器又は他のユーザー機器であってもよい。
【０１６０】
好ましくは、第1のユーザー機器は、第2のユーザー機器から第1のユーザー機器へのD2D通信信号の信号雑音比と、信号対干渉雑音比との少なくとも一つを検出してD2D通信品質を得て、D2D通信品質の変化が閾値を超えるか否かに基づいて、マスターユーザー機器へのパワーヘッドルーム報告をトリガーするか否かを確定してもよい。
【０１６１】
好ましくは、第1のユーザー機器は、第2のユーザー機器から第1のユーザー機器へのパスロスを測定し、パスロスの関連情報と第2のユーザー機器の識別子とをD2Dパスロス報告に含ませて基地局装置へ報告してもよい。
【０１６２】
本開示の実施例による無線通信システムで無線通信を行うための方法の上記それぞれのステップの各種の具体的実施形態は前で詳細に記述されたので、ここで説明を重複しない。
【０１６３】
本開示の実施例によれば、さらに電子機器を提供することができ、当該電子機器は、前記電子機器とターゲットユーザー機器との間のパスロスを取得し、前記電子機器が前記ターゲットユーザー機器とデバイス・ツー・デバイスD2D通信を行い、前記パスロスに関する情報を基地局装置に報告し、前記基地局装置からの、前記パスロスに関係する第1のパワーパラメーターに関する情報を取得し、前記第1のパワーパラメーターに基づいて前記電子機器と前記ターゲットユーザー機器との間でD2D通信を行うためのD2D伝送パワーを確定する操作を実行するように配置されている処理回路又は一つ或いは複数のプロセッサを含む。
【０１６４】
本開示の実施例によれば、さらに電子機器を提供することができ、当該電子機器は、基地局装置がサービングする第1のユーザー機器から第2のユーザー機器へのパスロスを取得し、前記パスロスに基づいて前記第1のユーザー機器に前記第2のユーザー機器とデバイス・ツー・デバイスD2D通信を行うためのD2D伝送パワーパラメーターを確定する操作を実行するように配置されている処理回路又は一つ或いは複数のプロセッサを含む。
【０１６５】
本開示の実施例によれば、さらに電子機器を提供することができ、ターゲットユーザー機器とのデバイス・ツー・デバイスD2D通信品質を検出し、前記D2D通信品質に基づいてマスターユーザー機器へのパワーヘッドルーム報告をトリガーするか否かを確定する操作を実行するように配置されている処理回路又は一つ或いは複数のプロセッサを含み、前記電子機器のD2D通信が前記マスターユーザー機器によりスケジューリングされる。
【０１６６】
上記電子機器は、以上に記載の本開示の他の技術案をさらに実行することも可能であることは当然であり、簡潔にするために、ここで一々重複しない。
【０１６７】
もちろん、本開示による無線通信システムで無線通信を行うための方法のそれぞれの操作プロセスは各種の機器読み取り可能な記憶媒体に記憶されているコンピュータ実行可能なプログラムにより実現されることが可能である。
【０１６８】
そして、本開示の目的は以下の形態により実現されることが可能である。上記実行可能なプログラムコードが記憶されている記憶媒体をシステム又は装置に直接又は間接に提供し、且つ当該システム又は装置におけるコンピュータ又は演算処理ユニット（CPU）が上記プログラムコードを読み出し実行する。この際、当該システム又は装置がプログラムを実行する機能を有すれば、本開示の実施形態はプログラムに限定されず、当該プログラムは任意の形式、例えば、目標プログラム、インタープリターが実行するプログラム、又はオペレーティングシステムに提供するスクリプトプログラム等であってもよい。
【０１６９】
上記のこれらの機器が読み取り可能な記憶媒体は、各種のメモリと記憶ユニット、半導体デバイス、ディスクユニット例えば光ディスク、磁気ディスク、光磁気ディスク、及び他の情報の記憶に適する媒体等を含むがこれらに限定されるものではない。
【０１７０】
また、コンピュータはインターネットの相応するウェブサイトに接続し、且つ本開示によるコンピュータプログラムコードをダウンロードしてコンピュータにインストールした上で当該プログラムを実行することで、本開示の技術案を図ることができる。
【０１７１】
図7は、本開示の実施例による、無線通信システムで無線通信を行うための方法を実現できる汎用のコンピュータの例示的構成のブロック図である。
【０１７２】
図7に示すように、CPU  701は、読取専用メモリ（ROM）702に記憶されているプログラム或いは記憶部708からランダムアクセスメモリ（RAM）703にロードしたプログラムに基づいて、各種の処理を実行する。RAM703にも、必要に応じてＣＰＵ701が各種の処理等を実行する際に必要なデータが記憶される。CPU701、ROM702、RAM703は、バス704を介して互いに接続されている。入力/出力インターフェース705もバス704に接続されている。
【０１７３】
入力部706（キーボード、マウス等を含む）、出力部707（ディスプレイ、例えば陰極線管（CRT）、液晶ディスプレイ（LCD）等、スピーカ等を含む）、記憶部708（ハードディスク等を含む）、通信部709（ネットワークインターフェースカード、例えばＬＡＮカード、モデム等を含む）は、入力/出力インターフェース705に接続されている。通信部709は、ネットワーク、例えばインターネットを介して、通信処理を実行する。必要に応じて、ドライバー710も入力/出力インターフェース705に接続されてもよい。リムーバブルメディア711、例えばディスク、光ディスク、光磁気ディスク、半導体メモリ等は、必要に応じてドライバー710に装着され、その中から読み出したコンピュータプログラムが必要に応じて記憶部708にインストールされるようにする。
【０１７４】
ソフトウェアで上記一連の処理を実現する場合、ネットワーク、例えばインターネット或いは記憶媒体、例えばリムーバブルメディア711から、ソフトウェアを構成するプログラムをインストールする。
【０１７５】
当業者であれば、この種の記憶媒体は、図7に示す、プログラムが記憶されておりデバイスと独立して配分してユーザーにプログラムを提供するリムーバブルメディア711に限定されないことが理解できる。リムーバブルメディア711の例は、磁気ディスク（フロッピーディスク（登録商標））、光ディスク（光ディスク読取専用メモリ（CD−ROM）とデジタル多用途ディスク（DVD）を含む）、光磁気ディスク（ミニディスク（MD）（登録商標）を含む）、半導体メモリを含む。又は、記憶媒体は、ROM702、記憶部708に含まれるハードディスク等であってもよく、その中にプログラムが記憶されており、且つこれらを含む装置とともにユーザーに配分される。
【０１７６】
前記のように、本開示は、無線通信システムにおけるユーザー機器側の電子機器、端末側の電子機器、及び無線通信システムで無線通信を行うための方法を提供し、D2D端末と端末との間のパスロスに応じてD2D端末の送信パワーを算出することができ、伝統の基地局装置と端末装置との間のパスロスに応じてパワー制御を行う方法に比べると、本発明の送信パワーの算出はより精確になる。一方、本発明のD2D端末の送信パワーの算出は、さらに干渉と帯域内放射の影響を考慮して、パワー制御を粗調整と微調整との二つの方式に分け、粗調整は頻繁なパワー制御を避け、シグナリングオーバーヘッドを節約することができ、微調整は、パワー制御がより精確になるようにすることができる。最後、本発明は、異なるリソース割当モードにおいてD2Dパワー制御シグナリングのやり取り及びPHRの報告プロセスをさらに標準化させ、当該PHR上報告プロセスは、D2D通信システムにより適用する。要するに、本発明は、D2D通信のパワー制御をより精確に行い、D2D通信データ伝送の依頼性を向上させ、それとセルラーネットワークとの共存を強化させることができる。
【０１７７】
本開示のシステムと方法において、各部品又は各ステップは分割及び/又は再組み合わせることが可能であることが勿論である。これらの分割及び/又は再組み合わせは本開示の等価方案と見なすべきである。そして、上記一連の処理を実行するステップは、自然に説明の順で時間順に従って実行されるが、必ずしも時間順に従って実行される必要がない。あるステップは並行又は独立に実行されることが可能である。
【０１７８】
以上、図面に基づいて本発明の実施例を詳細に記述したが、以上で記述された実施形態は、本発明を説明するためのものであり、限定するものではない。当業者にとって、上記実施形態について、各種の修正、変更を行うことが可能で、本発明の本質と範囲から逸脱しない。従って、本開示の範囲は付随する特許請求の範囲及び均等意味のみに限定される。
【図１】
0006624202.tif 000022
【図２】
0006624202.tif 000023
【図３】
0006624202.tif 000024
【図４】
0006624202.tif 000025
【図５】
0006624202.tif 000026
【図６】
0006624202.tif 000027
【図７】
0006624202.tif 000028